(57)【特許請求の範囲】
【請求項１】
内蔵した印字部により印字される用紙を通す開口部を手前側に有し、かつ、手前側に起立させてキーボードを保持する本体と、
この本体の手前側に起立させた状態で前記開口部に対向して用紙を通す貫通口部を有するキーボードと、
前記貫通口部を覆うカバー部材と、
前記キーボードを前記本体に対し起立させて保持する際とその保持を解除して取り外す際に連動して、前記カバー部材に前記貫通口部を開閉動作させる開閉動作機構と、
を具備することを特徴とする電子機器。
【請求項２】
前記キーボードを平面的に置いた状態で所定角度に保持する脚部材を前記カバー部材と一体的に設けたことを特徴とする請求項１記載の電子機器。
【請求項３】
前記印字部により印字後の用紙が前記貫通口部から手前側に排出されることを特徴とする請求項１又は２の何れか記載の電子機器。
【請求項４】
前記印字部で印字するための用紙が手前側から前記貫通口部に導入されることを特徴とする請求項１又は２の何れか記載の電子機器。
【発明の詳細な説明】
【０００１】
【発明の属する技術分野】
本発明は、プリンタ（印字部）内蔵の電子機器に関する。
【０００２】
【従来の技術】
プリンタ内蔵のワープロやパソコン等の電子機器がある。
このようなプリンタ内蔵の電子機器において、手前側に表示部を備える本体の後側に、本体と別体のキーボードを収納する形態のもの、もしくは、キーボードを本体に収納しない形態のものがある。そして、印字後の用紙の排出方向を本体の後側とした形態のものが一般的であった。
また、本体の手前側にキーボードを収納する形態のものもある。
【０００３】
【発明が解決しようとする課題】
ところで、本体の手前側にキーボードを収納する形態とし、更に、そのキーボードの手前側に表示部が重なるような形態とすることが考えられる。
このように、本体の手前側にキーボードを収納する形態において、用紙排出方向を本体の手前側にする場合、キーボードを収納した状態でも用紙の排出が行えるような実装をしなければならない。
そのため、キーボードを用紙排出口より上方に配置したり、印字時にはキーボードを本体より取り外すようにすることが考えられる。
しかし、キーボードを用紙排出口より上方に配置した場合、キーボードを取り外す際に、キーボードの手前側に位置する表示部を本体に対し大きく開くようにしなければならず、不便なものとなってしまう。そして、用紙排出口より上方にキーボードを配置することにより、機器全体の高さが高くなってしまう。
【０００４】
また、キーボードを本体の手前側（表示部の後側）でなく別の場所に収納する実装も考えられる。
しかし、例えば、キーボードを本体の後側に収納する形態では、キーボードを使用したいときに、用紙排出方向が本体の手前側であるにも拘わらず、本体の後側を覗き込むような動作が必要となり、不便なものとなってしまう。
従って、利便性の面からは、本体の手前側において、用紙排出を行い、かつ、キーボードを収納する形態とすることが望ましい。
【０００５】
本発明の課題は、印字用の用紙が通る開口部とキーボードの収納部を利便性を考慮して本体の手前側とした電子機器の印字部構造において、本体の手前側に収納するキーボードに工夫を施すことにより、機器全体の高さをコンパクトにしながら、本体の手前側にキーボードを収納状態のまま用紙を通せるようにすることである。
【０００６】
【課題を解決するための手段】
以上の課題を解決するため、本発明に係る電子機器は、内蔵した印字部により印字される用紙を通す開口部を手前側に有し、かつ、手前側に起立させてキーボードを保持する本体と、この本体の手前側に起立させた状態で前記開口部に対向して用紙を通す貫通口部を有するキーボードと、前記貫通口部を覆うカバー部材と、前記キーボードを前記本体に対し起立させて保持する際とその保持を解除して取り外す際に連動して、前記カバー部材に前記貫通口部を開閉動作させる開閉動作機構とを具備することを特徴とする。
【０００７】
本発明によれば、印字部を内蔵した本体の手前側に起立状態で保持されるキーボードには、本体の手前側に設けた用紙を通す開口部に対向して用紙を通す貫通口部を設けたため、本体の手前側において、キーボードを収納状態のまま用紙を通せる。従って、機器本体の高さのコンパクト化が図れる。また、キーボードの貫通口部を覆うカバー部材と、キーボードを本体に対し起立させて保持する際とその保持を解除して取り外す際に連動して、前記カバー部材に前記貫通口部を開閉動作させる開閉動作機構を設けたため、キーボードを本体に対し起立させて保持する際とその保持を解除して取り外す際に前記貫通口部を前記カバー部材により開閉することができる。
【０００８】
ここで、電子機器としては、代表的なものとしてワープロやパソコンが挙げられるが、印字部を備える電子機器であれば何でも良い。
開口部及び貫通口部は、印字用の用紙が通るもので、用紙排出用でも用紙供給用でも良い。
【００１７】
【発明の実施の形態】
以下、図を参照して本発明の実施の形態を詳細に説明する。
【００１８】
〔第１の実施の形態〕
この実施形態において、電子機器は、図１に示すように、携帯型のワープロまたはパソコンであり、機器本体１、表示装置（表示部）２、マウス４及びキーボード５等により構成される。
キーボード５は、手前側に備える表示装置２の後側において、起立した状態で機器本体１に収納して保持される。そして、機器本体１には、図２に示すように、プリンタ（印字部）３が内蔵されている。なお、マウス４とキーボード５は、何れもコードレスタイプのものであるが、コードレスに限らずコード付きでも良い。
【００１９】
具体的には、機器本体１の後側の給紙用開口部１１から用紙Ｐが機器本体１の内部に差し込まれてプリンタ３に供給される。給紙用開口部１１は、蓋部材を兼ねたペーパーガイド１２により開閉自在となっている。機器本体１の手前側には、下部突出部１３が設けられて、前面部１４の上部を除く部分が凹部によるキーボード収納部１５となっている。このキーボード収納部１５の下部に沿って排紙用開口部１６が形成されている。
用紙Ｐは、給紙ローラ３１とその上方のローラ３２との間を通ってプリンタ３内に送られ、所定の印字処理後に排紙ローラ３３とその上方のローラ３４との間を通って排紙用開口部１６から機器本体１の手前側に排出される。
【００２０】
キーボード５は、図４に示すように、上面に操作キー５１を備えており、その操作キー５１を有する上面を後側に向けて機器本体１のキーボード収納部１５に起立して収納され、その収納状態は図示しないマグネットにより保持される。なお、収納状態の保持手段は、マグネットに限らず任意である。
また、機器本体１には、キーボード５を起立して収納した前面部１４に重なるようにして表示装置２が備えられている。すなわち、表示装置２は、表示画面２１を有するケース２２が機器本体１の上面にアーム２３を介して結合されている。
【００２１】
そして、キーボード５には、機器本体１のキーボード収納部１５に起立した収納状態において、機器本体１の排紙用開口部１６と対応する位置に沿って排紙用貫通口部５２が形成されている。
更に、キーボード５の排紙用貫通口部５２に沿った端面側部分は可動部材５３となっている。可動部材５３は、キーボード５を起立させて本体１に収納保持した状態において、上面が手前下がりとなる傾斜面５３ａとなっていて、この傾斜面５３ａの中央に指掛け用小凹部５３ｂが形成されている。
また、可動部材５３は、図６に示すように、両端部において、キーボード５の側部に形成した案内溝５４に図示しない係合凸部が係合している。案内溝５４の両端部は、幅広部５４ａとなっていて、可動部材５３端部の係合凸部が図示しないばね部材の付勢力によって幅広部５４ａに係合状態に保持される。
【００２２】
次に、以上の電子機器の使い方について説明する。
先ず、機器本体１から外したキーボード５を机等に平面的に置いた使用状態においては、機器本体１内のプリンタ３による印字後の用紙Ｐが排紙用開口部１６から手前側に排出される。
この場合、キーボード５に設けた可動部材５３は、図５に示すように、キーボード５の下面と面一のままの状態の他、図６に示すように、キーボード５の下面から突出させた脚として平面上に置くことで、キーボード５の角度調整用のアジャスターとして使用できる。また、キーボード５を立てて機器本体１に収納する場合も、キーボード５下面から突出した可動部材５３を元に戻すことなく収納でき、キー操作が必要な場合に再度角度調整することもない。
【００２３】
そして、キーボード５を使用することなくマウス４を使用する操作状態、例えば、インターネットのサイトを閲覧等する場合、図１に示したように、キーボード５を機器本体１のキーボード収納部１５に起立した収納状態で、表示装置２の表示画面２１を見ながらマウス４を操作する。
このように、キーボード５を機器本体１の手前側に起立した収納状態において、表示画面２１中の印刷ボタンをマウス４のクリック操作で選択することにより、プリンタ３による印字が行われる。
印字後の用紙Ｐは、図２及び図３に示したように、排紙用開口部１６からキーボード５の排紙用貫通口部５２を通って手前側に排出される。この時、可動部材５３上面が手前下がりの傾斜面５３ａとなっていることにより、用紙Ｐが手前下方に向けて排出される。
なお、このような排紙の際も、図７に示したように、可動部材５３をキーボード５の下面から手前側に突出させた状態にして使用できる。
【００２４】
以上の通り、機器本体１の手前側にキーボード５を立てて収納状態のまま印字後の用紙Ｐを排紙用貫通口部５２から排出できる。
しかも、キーボード５の収納位置を上方にずらす必要がないことから、機器本体１の高さもコンパクトにできる。
【００２５】
〔第２の実施の形態〕
この実施形態では、図８に示すように、機器本体１のキーボード収納部１５に左右の本体側取付部５５で回動自在に結合したキーボード５において、前記排紙用開口部１６と対応する位置に沿った排紙用貫通口部５２のみを形成したものである。
このように、機器本体１の手前側に立てた収納状態から手前側に回動して使用するキーボード５の場合には、排紙用貫通口部５２だけを形成しておけば良い。
【００２６】
〔第３の実施の形態〕
この実施形態では、図９に示すように、機器本体６の手前側の下部突出部６３の上方の前面部６４がキーボード収納面となっており、この前面部６４の下部に沿って排紙用開口部６６を形成している。また、前面部６４の上部中央にマグネット６７を設けている。
そして、下部突出部６３の上面には左右のロックアーム６８を突設している。
一方、図１０から図１２に示すように、キーボード７には、機器本体６の前面部６４に起立して重ねてマグネット６７により保持した状態で前記排紙用開口部６６と対応する位置に沿って排紙用貫通口部７２を形成している。また、キーボード７の排紙用貫通口部７２に沿った端面（機器本体６の前面部６４に起立した収納状態での下端面）の左右にロックアーム挿入穴７３を形成している。
【００２７】
更に、排紙用貫通口部７２の内部には、キーボード７を平面上に置いた状態で上面に位置するカバー部材７５と下面に位置するカバー部材７６とを設けている。これらカバー部材７５、７６は、キーボード７に支軸７５ａ、７５ｂを中心に回転するもので、かつ、支軸７５ａ、７６ａを中心とする断面円弧状をなしている。図示例では、キーボード７を平面上に置いた状態で上面に位置するカバー部材７５の方が下面に位置するカバー部材７６よりも小さいものとなっている。
そして、図１４に示すように、一方のカバー部材７５には、機器本体６の一方のロックアーム６８と対応する位置に係合片７５ｂを設けている。また、図１３に示すように、他方のカバー部材７６にも、他方のロックアーム６８と対応する位置に係合片７６ｂを設けている。
なお、何れのカバー部材７５、７６においても、排紙用貫通口部７２を閉鎖方向に付勢する図示しないばね部材が設けられている。また、キーボード７を平面上に置いた状態で下面に位置するカバー部材７６には、図１２に示すように、脚部材７７が一体的に設けられている。
【００２８】
以上のキーボード７は、機器本体６から外した状態では、ばね部材の付勢により両方のカバー部材７５、７６が排紙用貫通口部７２を常時閉じている。従って、キー操作時に必要とされない排紙用貫通口部７２をカバー部材７５、７６により隠しておける。
そして、下面側のカバー部材７６に設けた脚部材７７によりキーボード７を机等の平面上に置いて使用できる。なお、脚部材７７は必ずしも必要でなく、カバー部材７６の外側に膨らんだ円弧形状によっても脚部材として機能する。
【００２９】
次に、キーボード７を機器本体６に収納する場合について説明する。
この場合、キーボード７の左右のロックアーム挿入穴７３に機器本体６のロックアーム６８を挿入して、機器本体６の前面部６４に起立させてキーボード７を重ねてマグネット６７により保持状態にする。
ここで、図１３（ａ）から（ｂ）に示すように、ロックアーム６８に係合片７６ｂが係合して、カバー部材７６が支軸７６ａを中心に上方回動することで、排紙用貫通口部７２の片面を開放する。なお、この時、脚部材７７は、キーボード８の排紙用貫通口部８２の開放面上方に形成した図示しない溝を通って内部に入る。
また、図１４（ａ）から（ｂ）に示すように、ロックアーム６８に係合片７５ｂが係合して、カバー部材７５が支軸７５ａを中心に上方に回動することで、排紙用貫通口部７２の残る片面を開放する。
これにより、図１５に示したように、排紙用貫通口部７２が開放状態となる。従って、機器本体６の手前側にキーボード７を立てて収納状態のまま印字後の用紙Ｐを排紙用貫通口部７２から排出できる。
なお、機器本体６からキーボード７を外すと、前述したように、ばね部材の付勢により両方のカバー部材７５、７６が戻り方向に回動して排紙用貫通口部７２を閉じる。
【００３０】
〔第４の実施の形態〕
この実施形態では、図１６及び図１７に示すように、機器本体６の前面部６４に重ねて収納されるキーボード８の排紙用貫通口部８２の内部にも排紙ローラ８３を設けている。
そして、機器本体６の内部には、前記プリンタ３の排紙ローラ３３と同軸上のギア３５を設けるとともに、このギア３５と噛み合うギア３６を設けている。このギア３６は、機器本体６の前面部６４から一部が露出している。
また、キーボード８の排紙用貫通口部８２の排紙ローラ８３と同軸上のギア８４を設けている。このギア８４は、機器本体６の前面部６４から露出したギア３６の一部に噛み合う。なお、キーボード８には、機器本体６側のギア３６を内部に臨ませる図示しない溝を形成しておく。
【００３１】
更に、キーボード８の排紙用貫通口部８２の上部にスキャナ８５を設けている。このスキャナ８５は、キーボード８を機器本体６の前面部６４に重ねた収納状態において、排紙用貫通口部８２の機器本体６側の先端にあるセンサーにより用紙Ｐの有無を判別し、用紙Ｐが排紙用貫通口部８２に挿入されてから動作するものである。
また、排紙用貫通口部８２の内部に配置した排紙ローラ８３は、図１８に示したような軸移動構造となっている。
すなわち、キーボード８の排紙用貫通口部８２の両側部には、図１８（ａ）に示したような案内溝８６が形成されていて、この案内溝８６には、図１８（ｂ）に示したようなローラ軸受け部材８７が組み付けられている。
案内溝８６は、排紙用貫通口部８２の貫通方向に沿ったもので、両端に大径円形部８６ａ、８６ｂを有している。
ローラ軸受け部材８７は、案内溝８６の両端の大径円形部８６ａ、８６ｂの各々に係合する大径円柱部８７ａと、案内溝８６の両端の大径円形部８６ａ、８６ｂを除く一般部に係合する小径円柱部８７ｂと、この小径円柱部８７ｂの先端に設けたフランジ部８７ｃとからなる。フランジ部８７ｃと案内溝８６の周縁部との間に圧縮コイルばね（ばね部材）８８が設けられている。なお、大径円形部８６ａ、８６ｂに係合する大径円柱部８７ａが外側に抜けないように、図示しない適宜の抜け止め構造が施されている。
【００３２】
以上の軸移動構造による排紙ローラ８３を排紙用貫通部８２に備えたキーボード８は、機器本体６の前面部６４に重ねた収納状態に保持される。
この時、例えば、図１８（ｂ）に矢印を付して示したように、案内溝８６の大径円形部８６ａに大径円柱部８７ａが係合しているローラ軸受け部材８７のフランジ部８７ｃを圧縮コイルばね８８の付勢に抗して押し込んで、大径円形部８６ａから内方に大径円柱部８７ａを外す。
そして、図１８（ａ）に矢印を付して示したように、案内溝８６に沿って小径円筒部８７ｂで移動させながらローラ軸受け部材８７を機器本体６側の大径円形穴８６ｂまで移動する。すると、圧縮コイルばね８８の付勢により大径円形穴８６ｂに大径円柱部８７ａが係合状態となる。
これにより、図１６に示したように、キーボード８の排紙用貫通口部８２の排紙ローラ８３と同軸上のギア８４が、機器本体６の前面部６４から露出したギア３６の一部に噛み合う状態となる。
【００３３】
従って、機器本体６の前記プリンタ３の図示しないモータの駆動により排紙ローラ３３が回転すると、この排紙ローラ３３と同軸上のギア３５と噛み合うギア３６が回転し、更に、このギア３６と噛み合うギア８４と同軸上の排紙ローラ８３がキーボード８の排紙用貫通口部８２で回転する。この排紙ローラ８３の回転方向は、図１６の矢印のように、前記プリンタ３の排紙ローラ３３と同一方向である。
このように、キーボード８の排紙用貫通口部８２に設けた排紙ローラ８３の駆動を、機器本体６に内蔵した前記プリンタ３の排紙ローラ３３の駆動系から回転を取り出して行うので、キーボード８側に別の駆動機構を必要としない。
【００３４】
以上のようなキーボード８の排紙用貫通口部８２内の排紙ローラ８３の回転によって、機器本体６の手前側に立てて収納状態のまま印字後の用紙Ｐを、図１７に示したように、下面で送って排紙用貫通口部８２から排出できる。
このような排紙の際、キーボード８の排紙用貫通口部８２上部のスキャナ８５によって、用紙Ｐ上に印字された罫線等の印字内容が読み取られる。この場合、排紙ローラ８３がスキャナ８５より排紙方向の後側に配置されているので、スキャナ８５により読み取る用紙Ｐに対し余白部分を必要とせず全ての印字内容を読み取ることが可能である。
なお、スキャナ８５により印字内容を読み取られた用紙Ｐは、再び前記プリンタ３に戻されて所望の印字が更に行われる。
【００３５】
〔第５の実施の形態〕
この実施形態では、図１９に示すように、機器本体６の前面部６４の下部に沿って給紙用開口部６６を形成して、機器本体６の前面部６４に重ねて収納されるキーボード９に、給紙用開口部６６と対応する給紙用貫通口部９２を形成したものである。そして、キーボード９の内部には、給紙用貫通口部９２に臨む給紙ローラ９３とその上方のローラ９４を設けている。なお、キーボード９には、給紙ローラ９３の一部を外部に露出する図示しない溝を形成しておく。
また、機器本体６の内部には、プリンタ３の図示しない給紙ローラの駆動系の一部から回転が伝達される一対のスプロケット３０１、３０２と、この一対のスプロケット３０１、３０２に掛け渡した回転ベルト３０３と、この回転ベルト３０３の外周面にスプロケット３０２の周囲で密着する大径のローラ３０４と、この大径のローラ３０４と同軸上で小径のローラ３０５を設けている。これら大小のローラ３０４、３０５は、機器本体６の前面部６４から一部が露出している。
なお、キーボード９には、更に、機器本体６側の大径のローラ３０４を内部に臨ませる図示しない溝を形成しておく。図中、３７はプリンタ３の印字ヘッドである。
【００３６】
以上において、給紙ローラ９３を給紙用貫通部９２に備えたキーボード９は、機器本体６の前面部６４に重ねた収納状態に保持される。
そして、機器本体６の前面部６４に一部が露出したローラ３０５の外周面に、キーボード９の給紙ローラ９３の外周面が密着状態となる。
従って、機器本体６のプリンタ３の図示しないモータの駆動によりスプロケット３０１が回転すると、他方のスプロケット３０３とに掛け渡した回転ベルト３０３が回転し、更に、この回転ベルト３０３の外周面にスプロケット３０２の周囲で密着する大径のローラ３０４が回転する。そして、このローラ３０４を介して同軸上の小径のローラ３０５が回転し、このローラ３０５に互いの外周面が密着した給紙ローラ９３が回転する。
このような給紙ローラ９３の回転によって、手前側からキーボード９の給紙用貫通穴部９３に挿入した用紙Ｐが、矢印で示したように、上方のローラ９４との間で挟まれて機器本体６の給紙用開口部６６からプリンタ３へと送られる。プリンタ３の印字ヘッド３７により所定の印字が施された用紙Ｐは、機器本体２の後側に設けた図示しない排紙用開口部から排出される。
【００３７】
なお、以上の実施の形態においては、ワープロまたはパソコンとしたが、本発明はこれに限定されるものではなく、他のプリンタ（印字部）内蔵の電子機器であっても良い。
また、印字部、開口部、カバー部材等の構成も任意であり、その他、具体的な細部構造等についても適宜に変更可能であることは勿論である。
【００３８】
【発明の効果】
本発明によれば、印字部を内蔵した本体の手前側に起立させた状態で本体の開口部に対向して用紙を通す貫通口部を有するキーボードとしたため、本体の手前側において、キーボードを収納状態のまま用紙を通すことができながら、機器本体の高さのコンパクト化が図れる。また、貫通口部を、キーボードを本体に対し起立させて保持する際とその保持を解除して取り外す際に連動するカバー部材により開閉できるといった利点が得られる。
【図面の簡単な説明】
【図１】本発明を適用した一実施の形態の構成を示すもので、第１の実施の形態の電子機器を示した概略斜視図である。
【図２】図１の電子機器の縦断側面図である。
【図３】図２の開口部及び貫通口部付近の拡大図である。
【図４】図１のキーボードを平面的に置いた状態を示した概略斜視図である。
【図５】図１のキーボードの貫通口部付近を拡大した縦断側面図である。
【図６】図５の可動部材をキーボード底面に突出した状態を示した図である。
【図７】図３において、可動部材を手前側に突出した状態を示した図である。
【図８】本発明を適用した第２の実施の形態の電子機器を示した概略斜視図である。
【図９】本発明を適用した第３の実施の形態の電子機器の本体を示した概略斜視図である。
【図１０】図９の本体に組み付けられるキーボードの貫通口部分を示した要部斜視図である。
【図１１】図１０のキーボードのロックアーム挿入穴を有する端面を示した斜視図である。
【図１２】図１０のキーボードを平面的に置いた状態を示した要部縦断側面図である。
【図１３】図１２のカバー部材のうち大きい方のカバー部材の開閉動作機構を示すもので、（ａ）はロックアーム挿入穴へのロックアームの挿入時を示した縦断側面図、（ｂ）はロックアーム挿入によるカバー部材の開放動作状態を示した縦断側面図である。
【図１４】図１２のカバー部材のうち小さい方のカバー部材の開閉動作機構を示すもので、（ａ）はロックアーム挿入穴へのロックアーム挿入によるカバー部材の開放動作状態を示した縦断側面図、（ｂ）はキーボードの上方への移動によるカバー部材の閉鎖状態への戻り動作状態を示した縦断側面図である。
【図１５】図１０のキーボードを起立させて本体に保持した状態でのカバー部材の開放動作状態における用紙の通し状態を示した縦断側面図である。
【図１６】本発明を適用した第４の実施の形態の電子機器の要部を示した概略側面図である。
【図１７】図１６の貫通口部におけるスキャナとギア及びローラと用紙を示した縦断側面図である。
【図１８】図１６及び図１７のローラの移動構造を示すもので、（ａ）は案内溝を示した側面図、（ｂ）は案内溝とローラ軸受け部材の関係を示した縦断側面図である。
【図１９】本発明を適用した第５の実施の形態の電子機器の要部を示した概略側面図である。
【符号の説明】
１  機器本体
１４  前面部
１５  キーボード収納部
１６  開口部
２  表示装置（表示部）
３  プリンタ（印字部）
３１、３２、３３、３４、３８、３９  ローラ
３５、３６  ギア
３０１、３０２  スプロケット
３０３  回転ベルト
３０４、３０５  ローラ
４  マウス
５  キーボード
５１  操作キー
５２  貫通口部
５３  可動部材
５５  本体側取付部
６  機器本体
６４  前面部
６６  開口部
６７  マグネット
６８  ロックアーム
７  キーボード
７２  貫通口部
７３  ロックアーム挿入穴
７５、７６  カバー部材
７５ａ、７６ａ  支軸
７５ｂ、７６ｂ  係合片
７７  脚部材
８  キーボード
８２  貫通口部
８３  ローラ
８４  ギア
８５  スキャナ
８６  案内溝
８７  ローラ軸受け部材
８８  ばね部材
９  キーボード
９２  貫通口部
９３、９４  ローラ
【図１】
0003994619.tif 000002
【図２】
0003994619.tif 000003
【図３】
0003994619.tif 000004
【図４】
0003994619.tif 000005
【図５】
0003994619.tif 000006
【図６】
0003994619.tif 000007
【図７】
0003994619.tif 000008
【図８】
0003994619.tif 000009
【図９】
0003994619.tif 000010
【図１０】
0003994619.tif 000011
【図１１】
0003994619.tif 000012
【図１２】
0003994619.tif 000013
【図１３】
0003994619.tif 000014
【図１４】
0003994619.tif 000015
【図１５】
0003994619.tif 000016
【図１６】
0003994619.tif 000017
【図１７】
0003994619.tif 000018
【図１８】
0003994619.tif 000019
【図１９】
0003994619.tif 000020